(57)【要約】      （修正有）【課題】リサイクル処理過程で得られる混合素材を含む各素材の重量をより正確に求める。【解決手段】解体レベルテーブルを参照して、製品を構成する部品が他の部品から単独部品として解体されるか否かを判断し（Ｓ２４）、解体されないと判断された部品の他の部品との接合部の重量、及び該他の部品の該部品との接合部の重量を求めと共に、両部品それぞれの重量と両部品のそれぞれの接合部の重量とから両部品それぞれの非接合部の重量を求める（Ｓ２６〜２８）。接合部の重量を求める際には、接合方法テーブルを参照して、当該部品と接合部品との接合方法を特定し（Ｓ２６）、算出式テーブルに格納されている算出式のうちから、特定した接合方法に対応する算出式を取得し、この算出式に、各種設定データを代入して、接合部の重量を求める（Ｓ２７）。【選択図】図１８
2010237955.tif 000002
【特許請求の範囲】
【請求項１】
複数の部品が相互に接合されて構成される製品のリサイクル過程で発生する各種素材重量を求めて、該製品のリサイクル性の評価を支援するリサイクル性評価装置において、
前記複数の部品毎の設計データと、該複数の部品毎の重量データと、該複数の部品毎の構成素材を示す素材データと、該複数の部品相互の接合方法を示す接合方法データと、該複数の部品毎に該部品が他の部品から単独部品として解体されるか否かを示す解体データとを受け付ける受付手段と、
前記受付手段が受け付けた前記設計データと前記重量データと前記素材データと前記接合方法データと前記解体データとを記憶する記憶手段と、
前記解体データを参照して、前記製品を構成する各部品が、他の部品から単独部品として解体されるか否かを判断する解体判断手段と、
前記解体判断手段で、解体されないと判断された部品の他の部品との接合部の重量、及び該他の部品の該部品との接合部の重量を求めと共に、両部品それぞれの重量と両部品のそれぞれの接合部の重量とから該両部品それぞれの非接合部の重量を求める部位重量算定手段と、
前記素材データを参照して、各部品毎の構成素材を特定し、前記解体判断手段で解体されると判断された部品の構成素材の重量を、前記重量データが示す該部品の重量を用いて算定し、前記解体判断手段で解体されないと判断された部品の接合部に関して、該部品の構成素材と該部品に接合している他の部品の構成素材との混合素材としての重量を、前記部位重量算定手段で求められた該接合部の重量を用いて算定し、前記解体判断手段で該解体されないと判断された該部品の非接合部の素材重量を、該部位重量算定手段で求められた該非接合部の重量を用いて算定する素材重量算定手段と、
前記素材重量算定手段で算定された各部品の素材毎の重量を出力する出力手段と、
を備え、
前記素材重量算定手段は、前記接合方法データを参照して、前記解体判断手段で解体されないと判断された部品と該部品に接合している他の部品との接合方法を特定し、各種接合方法毎の接合部の重量を求める算出式であって、接合関係にある二つの部品それぞれの設計値及び重量を変数とする算出式のうち、特定した該接合方法に対応する算出式に、前記設計データが示す該部品及び該他の部品の設計値と、前記重量データが示す該部品及び該他の部品の重量とを代入して、該接合部の重量を求める、
ことを特徴とするリサイクル性評価装置。
【請求項２】
請求項１に記載のリサイクル性評価装置において、
前記受付手段は、前記複数の部品毎の構成素材の単価、及び、前記混合素材の売却単価を示す素材単価データと、製品を解体して売却可能な状態にするまでの各処理工程毎の処理単価を示す処理単価データと、該複数の部品毎の該各処理工程での処理量を示す処理量データと、を受け付け、
前記記憶手段は、前記受付手段が受け付けた前記素材単価データと、前記処理単価データと、前記処理量データとを記憶し、
前記素材単価データを参照して、前記素材重量算定手段で算定された各部品の素材毎の重量を用いて、前記複数の部品毎の素材売却価格を求めると共に、前記処理単価データ及び前記処理量データを参照して、該複数の部品毎の処理コストを求め、該複数の部品毎の該素材売却価格及び該処理コストから、該複数の部品毎のリサイクルコストを求めるリサイクルコスト算出手段を備え、
前記出力手段は、前記複数の部品毎のリサイクルコスト、及び該複数の部品毎のリサイクルコストを合計した前記製品のリサイクルコストを出力する、
ことを特徴とするリサイクル性評価装置。
【請求項３】
請求項２に記載のリサイクル性評価装置において、
前記リサイクルコスト算出手段は、前記混合素材中の各部品の素材毎の売却価格から、該混合素材中の各部品の構成素材毎に、該混合素材の主成分とすべきか不純物とすべきかを判定し、
前記素材重量算定手段は、前記解体判断手段で解体されると判断された部品に関しては、該部品の重量を用いてリサイクル可能重量を算定し、前記解体判断ステップで解体されないと判断された部品に関しては、該部品の構成素材が前記主成分であると判定されていると、該部品の非接合部の重量と該部品の接合部の重量とを用いてリサイクル可能重量を算定し、該部品の構成素材が前記不純物であると判定されていると、該部品の非接合部の重量を用いてリサイクル可能重量を算定し、
前記出力手段は、前記複数の部品毎のリサイクル可能重量、及び該複数の部品毎のリサイクル可能重量を合計した前記製品のリサイクル可能重量を出力する、
ことを特徴するリサイクル性評価装置。
【請求項４】
複数の部品が相互に接合されて構成される製品のリサイクル過程で発生する各種素材重量を求めて、該製品のリサイクル性の評価を支援するリサイクル性評価プログラムにおいて、
コンピュータの入力手段により、前記複数の部品毎の設計データと、該複数の部品毎の重量データと、該複数の部品毎の構成素材を示す素材データと、該複数の部品相互の接合方法を示す接合方法データと、該複数の部品毎に該部品が他の部品から単独部品として解体されるか否かを示す解体データとを受け付けて、該コンピュータの記憶手段に格納する受付ステップと、
前記解体データを参照して、前記製品を構成する各部品が、他の部品から単独部品として解体されるか否かを判断する解体判断ステップと、
前記解体判断ステップで、解体されないと判断された部品の他の部品との接合部の重量、及び該他の部品の該部品との接合部の重量を求めと共に、両部品それぞれの重量と両部品のそれぞれの接合部の重量とから該両部品それぞれの非接合部の重量を求める部位重量算定ステップと、
前記素材データを参照して、各部品毎の構成素材を特定し、前記解体判断ステップで解体されると判断された部品の構成素材の重量を、前記重量データが示す該部品の重量を用いて算定し、前記解体判断ステップで解体されないと判断された部品の接合部に関して、該部品の構成素材と該部品に接合している他の部品の構成素材との混合素材としての重量を、前記部位重量算定ステップで求められた該接合部の重量を用いて算定し、前記解体判断ステップで該解体されないと判断された該部品の非接合部の素材重量を、該部位重量算出ステップで求められた該非接合部の重量を用いて算定する素材重量算定ステップと、
前記コンピュータの出力手段により、前記素材重量算定ステップで算定された各部品の素材毎の重量を出力させる出力制御ステップと、
を前記コンピュータに実行させ、
前記素材重量算定ステップでは、前記接合方法データを参照して、前記解体判断ステップで解体されないと判断された部品と該部品に接合している他の部品との接合方法を特定し、各種接合方法毎の接合部の重量を求める算出式であって、接合関係にある二つの部品それぞれの設計値及び重量を変数とする算出式のうち、特定した該接合方法に対応する算出式に、前記設計データが示す該部品及び該他の部品の設計値と、前記重量データが示す該部品及び該他の部品の重量とを代入して、該接合部の重量を求める、
ことを特徴とするリサイクル性評価プログラム。
【請求項５】
請求項４に記載のリサイクル評価プログラムにおいて、
前記受付ステップでは、前記複数の部品毎の構成素材の単価、及び、前記混合素材の売却単価を示す素材単価データと、製品を解体して売却可能な状態にするまでの各処理工程毎の処理単価を示す処理単価データと、該複数の部品毎の該各処理工程での処理量を示す処理量データと、を受け付けて、前記記憶手段に格納し、
前記素材単価データを参照して、前記素材重量算定ステップで算定された各素材毎の重量を用いて、前記複数の部品毎の素材売却価格を求めると共に、前記処理単価データ及び前記処理量データを参照して、該複数の部品毎の処理コストを求め、該複数の部品毎の素材売却価格及び処理コストから、該複数の部品毎のリサイクルコストを求めるリサイクルコスト算出ステップを、
前記コンピュータに実行させ、
前記出力制御ステップでは、前記出力手段に、前記複数の部品毎のリサイクルコスト、及び該複数の部品毎のリサイクルコストを合計した前記製品のリサイクルコストを出させる、
ことを特徴とするリサイクル性評価プログラム。
【請求項６】
請求項５に記載のリサイクル性評価プログラムにおいて、
前記リサイクルコスト算出ステップでは、前記混合素材中の各部品の素材毎の売却コストから、該混合素材中の各部品の構成素材毎に、該混合素材の主成分とすべきか不純物とすべきかを判定し、
前記素材重量算定ステップでは、前記解体判断ステップで解体されると判断された部品に関しては、該部品の重量を用いてリサイクル可能重量を算定し、前記解体判断ステップで解体されないと判断された部品に関しては、該部品の構成素材が前記主成分であると判定されていると、該部品の非接合部の重量と該部品の接合部の重量とを用いてリサイクル可能重量を算定し、該部品の構成素材が前記不純物であると判定されていると、該部品の非接合部の重量を用いてリサイクル可能重量を算定し、
前記出力制御ステップでは、前記出力手段に、前記複数の部品毎のリサイクル可能重量、及び該複数の部品毎のリサイクル可能重量を合計した前記製品のリサイクル可能重量を出させる、
ことを特徴するリサイクル性評価プログラム。
【請求項７】
複数の部品が相互に接合されて構成される製品のリサイクル過程で発生する各種素材重量を求めて、該製品のリサイクル性の評価を支援するリサイクル性評価方法において、
コンピュータの入力手段により、前記複数の部品毎の設計データと、該複数の部品毎の重量データと、該複数の部品毎の構成素材を示す素材データと、該複数の部品相互の接合方法を示す接合方法データと、該複数の部品毎に該部品が他の部品から単独部品として解体されるか否かを示す解体データとを受け付けて、該コンピュータの記憶手段に格納する受付ステップと、
前記解体データを参照して、前記製品を構成する各部品が、他の部品から単独部品として解体されるか否かを判断する解体判断ステップと、
前記解体判断ステップで、解体されないと判断された部品の他の部品との接合部の重量、及び該他の部品の該部品との接合部の重量を求めと共に、両部品それぞれの重量と両部品のそれぞれの接合部の重量とから該両部品それぞれの非接合部の重量を求める部位重量算定ステップと、
前記素材データを参照して、各部品毎の構成素材を特定し、前記解体判断ステップで解体されると判断された部品の構成素材の重量を、前記重量データが示す該部品の重量を用いて算定し、前記解体判断ステップで解体されないと判断された部品の接合部に関して、該部品の構成素材と該部品に接合している他の部品の構成素材との混合素材としての重量を、前記部位重量算定ステップで求められた該接合部の重量を用いて算定し、前記解体判断ステップで該解体されないと判断された該部品の非接合部の素材重量を、該部位重量算出ステップで求められた該非接合部の重量を用いて算定する素材重量算定ステップと、
前記コンピュータの出力手段により、前記素材重量算定ステップで算定された各部品の素材毎の重量を出力させる出力制御ステップと、
を前記コンピュータが実行し、
前記素材重量算定ステップでは、前記接合方法データを参照して、前記解体判断ステップで解体されないと判断された部品と該部品に接合している他の部品との接合方法を特定し、各種接合方法毎の接合部の重量を求める算出式であって、接合関係にある二つの部品それぞれの設計値及び重量を変数とする算出式のうち、特定した該接合方法に対応する算出式に、前記設計データが示す該部品及び該他の部品の設計値と、前記重量データが示す該部品及び該他の部品の重量とを代入して、該接合部の重量を求める、
ことを特徴とするリサイクル性評価方法。
【発明の詳細な説明】
【技術分野】
【０００１】
本発明は、複数の部品が相互に接合されて構成される製品のリサイクル過程で発生する各種素材重量等を求めて、製品のリサイクル性評価を支援する技術に関する。
【背景技術】
【０００２】
限りある資源の有効利用のため、メーカーは、使用済み製品のリサイクルに取り組んでいる。また、近年の家電製品には貴金属やレアメタルが使用され、これらの使用量は極僅かではあるが、高価であることと枯渇性からリサイクルの重要性は大きい。さらに、リサイクルによる素材の再利用は、天然資源から素材を生産する場合に比べ環境負荷も低く、リサイクルは環境負荷低減にもつながる。このような背景から、リサイクル促進のため、低コストでリサイクルを行えるよう効率を高めることは必須である。
【０００３】
リサイクルの効率を高める方法としては、製品の設計段階からリサイクルを考慮するというリサイクル性設計の導入がある。リサイクル性設計を支援する方法として、製品のリサイクル可能重量やリサイクルコストなどのリサイクル性を評価し、改善すべきポイントを提示する方法が開発されている。
【０００４】
以下の特許文献１では、素材毎のリサイクル可能率が格納されているデータベースを参照して、このリサイクル可能比率と製品を構成する部品の素材や重量等の情報に基づき、リサイクル可能重量を算出すると共に、各種処理費用単価が格納されているデータベースを参照して、この処理費用単価とリサイクル可能重量とからリサイクルコストを算出している。
【０００５】
ところで、実際のリサイクル工場での工程は、大別すると、手作業解体、破砕、選別の３つに分けられる。使用済みとなった製品は、手作業解体工程において、基板など、他の部品と分別する必要がある部品を取出した後、残りの部品を破砕機に投入し、細かく砕いた後は、選別機により鉄、銅、アルミ、プラスチック等の破砕屑として選別、回収される。しかし、ネジ締結や接着による部品間の接合が残ったまま破砕機に投入された場合は、選別後の破砕屑の中には、例えば、鉄に貴金属である銅が接合したままの接合部分の破砕屑が含まれる。このような破砕屑は、リサイクル処理の工程上、リサイクル工場からは鉄精錬への出荷物として回収され、鉄精錬の工程で精錬できない銅は、リサイクルが不可能となり不純物となる。また、このような不純物を含む破砕屑は手作業により選別され、低品位の破砕屑として売却される。
【先行技術文献】
【特許文献】
【０００６】
特開平10-222554号公報
【発明の概要】
【発明が解決しようとする課題】
【０００７】
特許文献１に記載の方法では、素材種別毎に予め定めたおいたリサイクル可能率と部品の構成素材重量とから、素材のリサイクル可能重量を算出しているため、例えば、鉄製の第一部品に銅製の第二部品が接合している状態で破砕した場合、第一部品中で鉄屑として扱われる量、第二部品中で銅屑として扱われる量が、両部品の接合関係に関係なく、一定になり、結果として、リサイクル可能重量やリサイクルコストを正確に求めることができず、製品のリサイクル性を正確に評価できない、という問題点がある。
【０００８】
本発明は、このような従来技術の問題点に着目し、リサイクル処理過程で得られる混合素材を含む各素材の重量をより正確に求めることを目的とする。
【課題を解決するための手段】
【０００９】
前記問題点を解決するため、本発明は、
1）コンピュータの入力手段により、製品を構成する複数の部品毎の設計データと、該複数の部品毎の重量データと、該複数の部品毎の構成素材を示す素材データと、該複数の部品相互の接合方法を示す接合方法データと、該複数の部品毎に該部品が他の部品から単独部品として解体されるか否かを示す解体データとを受け付けて、該コンピュータの記憶手段に格納する受付ステップ、
2）前記解体データを参照して、前記製品を構成する各部品が、他の部品から単独部品として解体されるか否かを判断する解体判断ステップ、
3）前記解体判断ステップで、解体されないと判断された部品の他の部品との接合部の重量、及び該他の部品の該部品との接合部の重量を求めと共に、両部品それぞれの重量と両部品のそれぞれの接合部の重量とから該両部品それぞれの非接合部の重量を求める部位重量算定ステップ、
4）前記素材データを参照して、各部品毎の構成素材を特定し、前記解体判断ステップで解体されると判断された部品の構成素材の重量を、前記重量データが示す該部品の重量を用いて算定し、前記解体判断ステップで解体されないと判断された部品の接合部に関して、該部品の構成素材と該部品に接合している他の部品の構成素材との混合素材としての重量を、前記部位重量算定ステップで求められた該接合部の重量を用いて算定し、前記解体判断ステップで該解体されないと判断された該部品の非接合部の素材重量を、該部位重量算出ステップで求められた該非接合部の重量を用いて算定する素材重量算定ステップ、
5）前記コンピュータの出力手段により、前記素材重量算定ステップで算定された各部品の素材毎の重量を出力させる出力制御ステップ、
を前記コンピュータに実行させる。
【００１０】
そして、4）の前記素材重量算定ステップでは、前記接合方法データを参照して、前記解体判断ステップで解体されないと判断された部品と該部品に接合している他の部品との接合方法を特定し、各種接合方法毎の接合部の重量を求める算出式であって、接合関係にある二つの部品それぞれの設計値及び重量を変数とする算出式のうち、特定した該接合方法に対応する算出式に、前記設計データが示す該部品及び該他の部品の設計値と、前記重量データが示す該部品及び該他の部品の重量とを代入して、該接合部の重量を求める、
ことを特徴とするものである。
【００１１】
ここで、本発明は、
1）の前記受付ステップでは、前記複数の部品毎の構成素材の単価、及び、前記混合素材の売却単価を示す素材単価データと、製品を解体して売却可能な状態にするまでの各処理工程毎の処理単価を示す処理単価データと、該複数の部品毎の該各処理工程での処理量を示す処理量データと、を受け付けて、前記記憶手段に格納し、
6）前記素材単価データを参照して、前記素材重量算定ステップで算定された各素材毎の重量を用いて、前記複数の部品毎の素材売却価格を求めると共に、前記処理単価データ及び前記処理量データを参照して、該複数の部品毎の処理コストを求め、該複数の部品毎の素材売却価格及び処理コストから、該複数の部品毎のリサイクルコストを求めるリサイクルコスト算出ステップを、前記コンピュータに実行させ、
5）の前記出力制御ステップでは、前記出力手段に、前記複数の部品毎のリサイクルコスト、及び該複数の部品毎のリサイクルコストを合計した前記製品のリサイクルコストを出させる、
ことが好ましい。
【００１２】
この場合、6）の前記リサイクルコスト算出ステップでは、前記混合素材中の各部品の素材毎の売却コストから、該混合素材中の各部品の構成素材毎に、該混合素材の主成分とすべきか不純物とすべきかを判定し、
4）の前記素材重量算定ステップでは、前記解体判断ステップで解体されると判断された部品に関しては、該部品の重量を用いてリサイクル可能重量を算定し、前記解体判断ステップで解体されないと判断された部品に関しては、該部品の構成素材が前記主成分であると判定されていると、該部品の非接合部の重量と該部品の接合部の重量とを用いてリサイクル可能重量を算定し、該部品の構成素材が前記不純物であると判定されていると、該部品の非接合部の重量を用いてリサイクル可能重量を算定し、
5）の前記出力制御ステップでは、前記出力手段に、前記複数の部品毎のリサイクル可能重量、及び該複数の部品毎のリサイクル可能重量を合計した前記製品のリサイクル可能重量を出させる、
ことが好ましい。
【発明の効果】
【００１３】
本発明では、製品を構成する複数の部品毎に接合部重量及び非接合部重量を求め、これらの重量から複数の部品の各種素材（混合素材を含む）毎の重量を求めているので、リサイクル処理過程で得られる各種素材の重量をより正確に求めることができる。
【図面の簡単な説明】
【００１４】
【図１】本発明に係る一実施形態におけるリサイクル性評価装置の構成図である。
【図２】本発明に係る一実施形態における素材単価テーブルのデータ構成を示す説明図である。
【図３】本発明に係る一実施形態における処理単価テーブルのデータ構成を示す説明図である。
【図４】本発明に係る一実施形態における装置仕様テーブルのデータ構成を示す説明図である。
【図５】本発明に係る一実施形態における解体レベルテーブルのデータ構成を示す説明図である。
【図６】本発明に係る一実施形態における解体時間テーブルのデータ構成を示す説明図である。
【図７】本発明に係る一実施形態における部品構成情報テーブルのデータ構成を示す説明図である。
【図８】本発明に係る一実施形態における部品面積テーブルのデータ構成を示す説明図である。
【図９】本発明に係る一実施形態における接合情報テーブルのデータ構成を示す説明図である。
【図１０】本発明に係る一実施形態における算出式テーブルのデータ構成を示す説明図である。
【図１１】本発明に係る一実施形態における接合破砕屑種テーブルのデータ構成を示す説明図である。
【図１２】本発明に係る一実施形態における回収物種決定用テーブルのデータ構成を示す説明図である。
【図１３】本発明に係る一実施形態におけるリサイクル重量テーブルのデータ構成を示す説明図である。
【図１４】本発明に係る一実施形態におけるリサイクルコストテーブルのデータ構成を示す説明図である。
【図１５】本発明に係る一実施形態でのリサイクル性評価の対象である製品の斜視図である。
【図１６】本発明に係る一実施形態における部品の面と面番号との関係を示す説明図である。
【図１７】本発明に係る一実施形態におけるリサイクル性評価装置の動作を示すフローチャートである。
【図１８】図１７中のステップ２０の詳細処理を示すフローチャートである。
【図１９】図１７中のステップ３０の詳細処理を示すフローチャートである。
【図２０】本発明に係る一実施形態における数値情報画面を示す説明図である。
【図２１】本発明に係る一実施形態における模式ロス情報画面を示す説明図である。
【発明を実施するための形態】
【００１５】
以下、本発明に係るリサイクル性評価装置の一実施形態について、図面を用いて説明する。
【００１６】
本実施形態のリサイクル性評価装置は、複数の部品が相互に接合されて構成される製品のリサイクル過程で発生する各種素材重量やリサイクルコストを算出して、この製品のリサイクル性の評価を支援する装置である。
【００１７】
ここで、本実施形態のリサイクル性評価装置の構成を説明する前に、このリサイクル性評価装置での評価対象製品の一例について、図１５を用いて説明する。
【００１８】
この評価対象製品は、ABSを構成素材とする部品A、Feを構成素材とする部品B、ABSを構成素材とする部品C、Feを構成素材とする部品D、Alを構成素材とする部品Eを有して構成されている。部品Aには、部品BがFe製の２本のネジ１で接合されていると共に、部品Dが嵌合い接合されている。また、部品Bには、部品CがFe製の１本のネジ２で接合され、部品Dには、部品Eがエポキシ樹脂系の接着剤で接合されている。
【００１９】
次に、本実施形態のリサイクル性評価装置の構成について、図１を用いて説明する。
【００２０】
リサイクル性評価装置１００は、コンピュータで、各種演算処理を実行するＣＰＵ１１０と、各種プログラムや各種データが予め記憶されているＲＯＭ１２０と、ＣＰＵ１１０のワークエリア等になるＲＡＭ１３０と、ハードディスクドライブ装置等の外部記憶装置１４０と、ディスク型記憶媒体Ｄに対してデータの記録及び再生を行うディスク記録・再生装置１７０と、ネットワークＮを介して外部と通信する通信装置１８０と、表示装置１９１と、キーボードやマウス等の入力装置１９２と、表示装置１９１や入力装置１９２のインターフェース１９０と、を備えている。
【００２１】
ＣＰＵ１１０は、機能的に、各種リサイクルデータや各種製品データを受け付けるデータ受付部１１１と、部品が解体対象であるか否かを判断する解体判断部１１２と、部品の接合部及び非接合部の重量を求める接合部重量算定部１１３と、各種素材等の重量を求める素材重量算定部１１４と、各部品毎のリサイクルコスト等を求めるリサイクルコスト算出部１１５と、表示装置１９１に各種算出結果を表示させる表示制御部１１６と、を有している。
【００２２】
ＲＡＭ１３０には、接合部の回収物種を決めるための回収物種決定用テーブル１３１が、当該リサイクル性評価装置１００によるリサイクル性評価処理過程で設けられる。
【００２３】
外部記憶装置１４０には、製品を構成する各部品毎の素材の売却単価が格納される素材単価テーブル１４１と、解体処理や破砕・選別処理の処理単価が格納される処理単価テーブル１４２と、各種処理を実行する装置の仕様が格納される装置仕様テーブル１４３と、各部品毎に解体や破砕を行うか否かが格納される解体レベルテーブル１４４と、各部品毎の解体時間が格納される解体時間テーブル１４５と、各部品毎の構成素材や重量等が格納される部品構成情報テーブル１４６と、各部品毎の各面の面積が格納される部品面積テーブル１４７と、部品相互間の接合に関する情報が格納される接合情報テーブル１４８と、リサイクル可能重量等が格納されるリサイクル重量テーブル１５１と、リサイクルコスト等が格納されるリサイクルコストテーブル１５２と、が設けられている。
【００２４】
さらに、外部記憶装置１４０には、リサイクル性評価プログラム１６０が予め格納されている。このリサイクル性評価プログラム１６０には、部品相互の接合方法に応じた接合部重量を求める算出式を示す算出式テーブル１６１と、部品相互の接合部の破砕屑の種類を示す接合破砕屑種テーブル１６２とが組み込まれている。このリサイクル性評価プログラム１６０は、例えば、ディスク型記憶媒体Ｄ等を記憶された形態で、又は通信装置１８０を介して提供される。なお、ＣＰＵ１１０の前述の諸機能部１１１〜１１６は、いずれも、この外部記憶装置１４０に格納されているリサイクル性評価プログラム１６０をＣＰＵ１１０が実行することで機能する。
【００２５】
外部記憶装置１４０に設けられている素材単価テーブル１４１は、図２に示すように、素材種が格納される素材領域１４１ａと、破砕の有無が格納される破砕有無領域１４１ｂと、当該素材の回収物名が格納される回収物領域１４１ｃと、当該回収物の売却単価が格納される売却単価領域１４１ｄと、当該素材のリサイクルの可否が格納されるリサイクル可否領域１４１ｅと、を有している。
【００２６】
処理単価テーブル１４２は、図３に示すように、リサイクル工場での各種処理内容が格納される処理内容領域１４２ａと、各処理毎の処理単価が格納される処理単価領域１４２ｂと、を有している。
【００２７】
装置仕様テーブル１４３は、図４に示すように、リサイクル工場で使用される装置種が格納される装置種領域１４３ａと、リサイクル工場で実際に使用される装置名が格納される装置名領域１４３ｂと、装置の仕様項目が格納される仕様項目領域１４３ｃと、当該仕様項目に関する仕様値が格納される仕様値領域１４３ｄと、を有している。
【００２８】
解体レベルテーブル１４４は、図５に示すように、部品名が格納される部品名領域１４４ａと、当該部品に対する解体の有無が格納される解体有無領域１４４ｂと、当該部品に対する破砕の有無が格納される破砕有無領域１４４ｃと、を有している。なお、ここでの解体とは、解体対象の部品を他の部品から離して単独部品とすることである。また、解体は、ここでは、リサイクル工場で手作業で行われる処理である、例えば、ある部品が他の部品にネジ止めされている場合に、ネジを外して、このある部品を他の部品から離す作業のことである。また、破砕は、破砕機を用いて、部品を所定の大きさ以下に破砕する処理である。
【００２９】
解体時間テーブル１４５は、図６に示すように、部品名が格納される部品名領域１４５ａと、当該部品の解体時間が格納される解体時間領域１４５ｂと、を有している。
【００３０】
部品構成情報テーブル１４６は、図７に示すように、部品名が格納される部品名領域１４６ａと、当該部品の構成素材名が格納される構成素材領域１４６ｂと、当該部品の重量が格納される部品重量領域１４６ｃと、一製品当たりの当該部品の個数が格納される部品個数領域１４６ｄと、一製品当たりの当該部品の合計重量が格納される合計重量領域１４６ｅと、を有している。
【００３１】
部品面積テーブル１４７は、図８に示すように、部品名が格納される部品名領域１４７ａと、当該部品の面番号が格納される面番号領域１４７ｂと、当該面番号の面の面積が格納される面積領域１４７ｃと、を有している。なお、面番号とは、該当部品の各面に予め付されている番号のことである。例えば、図１６に示すように、部品形状が直方体形状であれば、ある一つ平面の面番号が「１」、この平面に接触している四つの平面のそれぞれの面番号が「２」「３」「４」「５」、この平面と対向している一つの面の面番号が「６」、というように予め定められている。また、部品形状が円筒形状であれば、ある一つ平面の面番号が「１」、この平面に接触している側周面の面番号が「７」、この平面と対向している一つの面の面番号が「６」、というように予め定められている。
【００３２】
接合情報テーブル１４８は、図９に示すように、部品名が格納される部品名領域１４８ａと、当該部品が他の部品と接する面の番号が格納される接合面番号領域１４８ｂと、当該部品に接合されている他の部品（以下、接合部品とする）の部品名が格納される接合部品名領域１４８ｃと、この接合部品が当該部品と接する面の番号が格納される接合面番号領域１４８ｄと、当該部品と接合部品との接合方法が格納される接合方法領域１４８ｅと、当該接合方法を実施するために必要な接合媒体名が格納される接合媒体名領域１４８ｆと、当該接合媒体の量が格納される接合媒体量領域１４８ｇと、を有している。接合方法領域１４８ｅには、例えば、ネジによる接合の場合に「ネジ」、嵌め合い接合の場合に「嵌め合い」、接着剤による接合の場合に「接着」が格納される。また、接合媒体量領域１４８ｇには、例えば、接合媒体が「ネジ」である場合には、この「ネジ」の数量が格納される。
【００３３】
以上の各テーブル１４１〜１４８中のデータは、いずれも、リサイクル性評価装置１００によるリサイクル性評価処理過程の最初に、データ受付部１１１により外部から受け付けて、各テーブル１４１〜１４８の該当領域に格納される。
【００３４】
リサイクル性評価プログラム１６０に組み込まれている算出式テーブル１６１は、接合方法が格納されている接合方法領域１６１ａと、当該接合方法で接合された部品中の接合部の重量を求める算出式が格納されている算出式領域１６１ｂと、を有している。なお、この算出式領域１６１ｂに格納されている各算出式に関しては、後程、具体的に説明する。
【００３５】
リサイクル性評価プログラム１６０に組み込まれている接合破砕屑テーブル１６２は、構成素材名が格納されている構成素材領域１６２ａと、当該素材で構成されている部品に接合された接合部品の構成素材名が格納されている接合素材領域１６２ｂと、当該部品と接合部品とを破砕した際の接合部の破砕屑種が格納されている接合破砕屑領域１６２ｃと、を有している。
【００３６】
以上の各テーブル１６１，１６２は、いずれも、リサイクル性評価プログラム１６０を実行する際、このリサイクル性評価プログラム１６０のプログラム本体と共にＲＡＭ１３０上に展開される。
【００３７】
ＲＡＭ１３０上に設けられる回収物種決定用テーブル１３１は、図１２に示すように、接合部の破砕屑種が格納される接合破砕屑領域１３１ａと、当該破砕屑の元になった部品のうちの一部品の構成素材名が格納される接合部破砕屑の構成素材領域１３１ｂと、この構成素材で形成されていた部品の接合部重量が格納される重量領域１３１ｃと、当該接合部重量の売却価格が格納される価格領域１３１ｄと、当該接合部の回収破砕屑種が格納される接合部回収物領域１３１ｅと、を有している。この回収物種決定用テーブル１３１は、後述するように、リサイクル評価プログラム１６０の実行過程で、接合部の回収破砕屑種を決定する際に、ＲＡＭ１３０上に設けられる。
【００３８】
外部記憶装置１４０に設けられているリサイクル重量テーブル１５１は、図１３に示すように、部品名が格納される部品名領域１５１ａと、当該部品の構成素材名が格納される構成素材領域１５１ｂと、当該部品の重量が格納される素材重量領域１５１ｃと、一製品当たりの当該部品個数が格納される部品個数領域１５１ｄと、当該部品の非接合部の回収物名が格納される非接合部回収物領域１５１ｅと、当該非接合部の回収重量が格納される非接合部回収重量領域１５１ｆと、当該部品の接合部の回収物名が格納される接合部回収物領域１５１ｇと、当該接合部の重量が格納される接合部重量領域１５１ｈと、当該接合部の回収にあたり主成分となるか不純物となるかが格納される主成分/不純物領域１５１ｉと、当該部品中の未回収部分の重量が格納される未回収重量領域１５１ｊと、当該部品中のリサイクル可能な部分の重量が格納されるリサイクル可能重量領域１５１ｋと、当該部品のリサイクル率が格納されるリサイクル率領域１５１ｌと、を有している。
【００３９】
このリサイクル重量テーブル１５１の各領域内のデータは、後述するように、リサイクル評価プログラム１６０の実行過程で、各種重量を求めた際に格納される。
【００４０】
外部記憶装置１４０に設けられているリサイクルコストテーブル１５２は、図１４に示すように、部品名が格納される部品名領域１５２ａと、当該部品のリサイクルコストが格納されるリサイクルコスト領域１５２ｍと、当該部品の解体コストが格納される解体コスト領域１５２ｎと、当該部品の破砕・選別コストが格納される破砕・選別コスト領域１５２oと、非接合部回収物の売却価格が格納される回収素材売却価格領域１５２ｐと、接合部の不純物含有素材の売却価格が格納される不純物含有素材売却価格領域１５２ｑと、接合部の不純物化素材の売却価格が格納される不純物化素材売却価格領域１５２ｒと、接合部を接合部素材で売却せず、接合部を混合素材（不純物含有素材）として売却することで生じるロス分の価格が格納されるロス価格領域１５２ｓと、を有している。
【００４１】
このリサイクルコストテーブル１５２の各領域内のデータは、後述するように、リサイクル評価プログラム１６０の実行過程で、各種価格（又はコスト）を求めた際に格納される。
【００４２】
次に、本実施形態におけるリサイクル性評価装置１００の動作について、図１７に示すフローチャートに従って説明する。
【００４３】
まず、リサイクル性評価装置１００のデータ受付部１１１が、リサイクルデータや製品データ等を受け付け、これらのデータを外部記憶装置１４０の該当テーブルに格納する（Ｓ１０）。
【００４４】
具体的に、データ受付部１１１は、リサイクル工場のデータサーバ２０１（図１）から、通信装置１８０を介して、素材単価テーブル１４１に格納するデータ、処理単価テーブル１４２に格納するデータ、装置仕様テーブル１４３に格納するデータ、解体レベルテーブル１４４に格納するデータ、解体時間テーブル１４５に格納するデータを受け付けて、これらのデータを該当テーブル１４１〜１４５の該当領域に格納する。
【００４５】
例えば、素材単価テーブル１４１に格納するデータとして、データ受付部１１１が、素材名として「Ｆｅ」を受け付け、この素材の破砕の有無として「有」を受け付け、この素材の回収時の回収物名として「鉄屑」を受け付け、この素材の売却単価として「50\/kg」を受け付け、リサイクルの可否として「リサイクル可」を受け付けた場合、データ受付部１１１は、図２に示すように、素材単価テーブル１４１の素材領域１４１に「Ｆｅ」を格納し、破砕の有無領域１４１ｂに「有」を格納し、回収物領域１４１ｃに「鉄屑」を格納し、売買単価領域１４１ｄに「50」を格納し、リサイクル可否領域１４１ｅに「○」を格納する。また、素材名を受け付けない場合でも、回収物名として「不純物含有鉄屑」、売却単価として「5\/kg」、リサイクルの可否として「リサイクル可」を受け付けた場合、データ受付部１１１は、素材単価テーブル１４１の素材領域１４１に「−」を格納し、破砕の有無領域１４１ｂに「−」を格納し、回収物領域１４１ｃに「不純物含有鉄屑」を格納し、売買単価領域１４１ｄに「5」を格納し、リサイクル可否領域１４１ｅに「○」を格納する。
【００４６】
また、処理単価テーブル１４２に格納するデータとして、データ受付部１１１が、例えば、処理内容として「解体」を受け付け、その処理単価として「60\/分」を受け付けた場合、データ受付部１１１は、図3に示すように、処理単価テーブル１４２の処理内容領域142ａに「解体」を格納し、処理単価領域１４２ｂに「60\/分」を格納する。
【００４７】
以下、同様に、データ受付部１１１は、装置仕様テーブル１４３、解体レベルテーブル１４４、解体時間テーブル１４５の各領域にデータを格納する。
【００４８】
なお、ここでは、図５の解体レベルテーブル１４４に示すように、図１５に示す製品のうち、部品Ａ及びネジ１は、解体対象になっているため、解体工程で、手作業にて単独部品として他の部品から離されことになる。一方、その他の部品Ｂ，Ｃ，Ｄ，Ｅ、ネジ２は、いずれも解体対象になっておらず破砕対象になっているため、破砕工程で、接合相手の部品と接合した状態のまま破砕されることになる。そして、選別工程で、各部品の素材が選別される。但し、選別工程において、ある部品と接合部品との接合部の破砕屑は、ある部品の一部又は全体と接合部品の一部又は全体とが接合した状態で、手作業により、混合素材（不純物含有素材）として選別される。
【００４９】
また、データ受付部１１１は、さらに、製品データサーバ２０２（図１）から、通信装置１８０を介して、部品構成情報テーブル１４６の各領域に格納するデータ、部品面積テーブル１４７に格納するデータ、接合情報テーブル１４８の各領域に格納するデータを受け付けて、これらのデータを該当テーブル１４６〜１４８の該当領域に格納する。
【００５０】
例えば、接合情報テーブル１４８に格納するデータとして、データ受付部１１１が、部品名として「Ａ」を受け付け、その接合面番号として「１」を受け付け、接合部品名として「Ｂ」を受け付け、その接合面番号として「６」を受け付け、接合方法として「ネジ」を受け付け、接合媒体名として「ネジ１」を受け付け、接合媒体量として「２」を受け付けた場合、データ受付部１１１は、図９に示すように、接合情報テーブル１４８の部品名領域１４８ａに「Ａ」を格納し、接合面番号領域１４８ｂに「１」を格納し、接合部品名領域１４８ｃに「Ｂ」を格納し、接合面番号領域１４８ｄに「６」を格納し、接合方法領域１４８ｅに「ネジ」を格納し、接合媒体名領域１４８ｆに「ネジ１」を格納し、接合媒体量領域１４８ｇに「２」を格納する。この接合情報テーブル１４８の部品名「Ａ」のレコードに格納されたデータ群は、部品「Ａ」の面番号「１」に、部品「Ｂ」の面番号「６」が、「２」本の「ネジ１」により接合されていることを示している。
【００５１】
なお、図１中に示していないが、データ受付部１１１は、以上で説明したデータの他に、製品の３Ｄ設計データも受け付け、これを外部記憶措置１４０に格納する。また、以上では、データ受付部１１１が通信装置１８０を介して、リサイクル工場のデータサーバ２０１や製品データサーバ２０２から各種データを受け取っているが、入力装置１９２やディスク記録・再生装置１８０から各種データを受け取るようにしてもよい。
【００５２】
データ受付部１１１によるデータ受付処理（Ｓ１０）が終了すると、接合部及び非接合部の重量算出処理（Ｓ２０）が実行される。
【００５３】
この接合部及び非接合部の重量算出処理（Ｓ２０）について、図１８に示すフローチャートに従って詳細に説明する。
【００５４】
この接合部及び非接合部の重量の算出処理（Ｓ２０）では、まず、素材重量算定部１１４が、部品構成情報テーブル１４６（図７）から全データを取得して、リサイクル重量テーブル１５１（図１３）の部品名領域１５１ａに部品名を格納し、構成素材領域１５１ｂに構成素材を格納し、素材重量領域１５１ｃに素材重量を格納し、部品個数領域１５１ｄに個数を格納する（Ｓ２１）。
【００５５】
次に、素材重量算定部１１４は、ステップ２１で得た部品構成情報テーブル１４６のデータ中から部品名を一つ抽出し（Ｓ２２）、この当該部品の非接合部の回収重量を既に算出しているか否かを判断する（Ｓ２３）。非接合部の回収重量を既に算出している場合には、ステップ２２に戻り、算出していない場合には、ステップ２４に進む。
【００５６】
ステップ２４では、解体判断部１１２が、解体レベルテーブル１４４（図５）を参照して、ステップ２２で抽出した部品名の部品が解体対象であるか否か、言い換えると、単独部品として他の部品から離されるか否かを判断する。
【００５７】
解体判断部１１２が当該部品は解体対象であると判断すると、素材重量算定部１１４は、ステップ２１で得た当該部品の重量を非接合部の重量として、リサイクル重量テーブル１５１（図１３）の非接合部の回収重量領域１５１ｅに格納すると共に、非接合部の回収物領域１５１ｄに、当該部品の構成素材から導き出せる回収物名を格納してから（Ｓ２５）、ステップ２９に進む。
【００５８】
例えば、当該部品が「Ａ」である場合、ステップ２４において、解体判断部１１２は、解体レベルテーブル１４４（図５）を参照して、当該部品「Ａ」は解体対象であると判断する。そして、素材重量算定部１１４が、ステップ２５において、リサイクル重量テーブル１５１（図１３）の非接合部の回収重量領域１５１ｅに、当該部品の重量「1000」を格納する。さらに、素材単価テーブル１４１（図２）を参照して、当該部品の構成素材「ＡＢＳ」の回収物名「ＡＢＳ屑」を定め、これを非接合部の回収物領域１５１ｄに格納する。
【００５９】
一方、ステップ２４で、解体判断部１１２が当該部品は解体対象ではないと判断すると、接合部重量算定部１１３が、接合情報テーブル１４８（図９）から当該部品の接合方法、当該部品の接合面番号、接合部品名、当該接合部品の接合面番号を取得すると共に、部品面積テーブル１４７（図８）から、当該部品の接合面番号の面積、当該接合部品の接合面番号の面積を取得する（Ｓ２６）。そして、接合部重量算定部１１３は、算出式テーブル１６１に格納されている接合方法毎の算出式のうち、ステップ２４で取得した接合方法に対応した算出式に、当該部品の重量、当該部品の接合面の面積、当該接合部品の重量、当該接合部品の接合面の面積等を代入して、当該部品及び当該接合部品の接合部の重量を求めて、これをリサイクル重量テーブル１５１（図１３）の接合部重量領域１５１ｈに格納すると共に、当該部品及び当該接合部品の非接合部の重量を求める（Ｓ２７）。
【００６０】
例えば、当該部品が「Ｂ」である場合、ステップ２２において、解体判断部１１２は、解体レベルテーブル１４４（図５）を参照して、当該部品「Ｂ」は解体対象でないと判断する。次に、接合部重量算定部１１３が、ステップ２４において、接合情報テーブル１４８（図９）から当該部品「Ｂ」の接合方法「ネジ」、当該部品「Ｂ」の接合面番号「1」、接合部品名「Ｃ」、当該接合部品「Ｃ」の接合面番号「６」を取得する。接合部重量算出部１１３は、ステップ２５において、部品面積テーブル１４７（図８）から、当該部品「Ｂ」の接合面番号「１」の面積「12000」、当該接合部品「Ｃ」の接合面番号「６」の面積「4000」を取得する。そして、接合部重量算出部１１３は、算出式テーブル１６１に格納されている接合方法毎の算出式のうち、接合方法「ネジ」に対応した算出式1に、当該部品「Ｂ」及び当該接合部品「Ｃ」の接合面の面積「12000」「4000」と、当該部品「Ｂ」及び当該接合部品「Ｃ」の重量「500」「100」を、算出式1に代入して、各部品「Ｂ」「Ｃ」の接合部の重量を求める。
【００６１】
接合方法が「ネジ」の場合に用いられる算出式１としては、例えば、以下の式が用いられる。
（1）（S1,S2≦d2）のとき
W1_s = W1_p 
W2_s = W2_p
（2）（S1≦d2，S2＞d2）のとき
W1_s = W1_p 
W2_s = d2/S2×W2_p
（3）（S1,S2＞≦d2）のとき
W1_s = d2/S1×W1_p
W2_s = d2/S2×W2_p
以上の式で、
d：破砕機の隙間間隔
W1_p：二つの部品のうちで、接合面の面積が小さい部品の重量
W2_p：二つの部品のうちで、接合面の面積が大きい部品の重量
W1_s：二つの部品のうちで、接合面の面積が小さい部品の接合部重量
W2_s：二つの部品のうちで、接合面の面積が大きい部品の接合部重量
S1：二つの部品のうちで、接合面の面積が小さい部品の接合面の面積積
S2：二つの部品のうちで、接合面の面積が大きい部品の接合面の面積積
である。
【００６２】
この算出式1では、破砕機の隙間面積ｄ２よりも、接合面の面積が小さい部品に関しては、破砕機をそのまま通過すると仮定して、当該部品の重量を、当該部品の接触部の重量としている。また、破砕機の隙間面積ｄ２よりも、接合面の面積が大きい部品に関しては、破砕機の隙間面積ｄ２相当の面積分の破砕機を通過すると仮定して、この面積（隙間面積ｄ２）相当の当該部品の重量を、当該部品の接触部の重量としている。
【００６３】
部品「Ｂ」と部品「Ｃ」のそれぞれの接合部重量を求める場合、部品「Ｂ」の接合面の面積が「12000」で、部品「Ｃ」の接合面の面積が「4000」であるから、上記式中の部品１が部品「Ｃ」となり、部品２が部品「Ｂ」となる。また、破砕機の隙間面積ｄ２が「2500（＝50×50）」であるから、「（3）（S1,S2＞≦d2）のとき」の式を用いる。そして、この式中のW1_pに小さい方の部品「Ｃ」の重量「100」を代入し、S1に小さい方の部品「Ｃ」の接合面の面積「4000」を代入して、小さい方の部品「Ｃ」の接触部の重量W1_p「62.5」を得る。また、この式中のW2_pに大きい方の部品「Ｂ」の重量「500」を代入し、S2に大きい方の部品「Ｂ」の接合面の面積「12000」を代入して、大きい方の部品「Ｂ」の接触部の重量W2_p「104」を得る。
【００６４】
接合部重量算出部１１３は、以上のようにして、各部品の接合部の重量を得ると、各部品の重量から接合部重量を減算して、非接合部の重量を得る。部品「Ｃ」の場合、その重量が「100」で、接合部の重量が「62.5」であるから、非接合部の重量は「37.5」となる。また、部品「Ｂ」の場合、その重量が「500」で、接合部の重量が「104」であるから、非接合部の重量は「396」となる。そして、接合部重量算出部１１３は、各部品「Ｂ」「Ｃ」の接合部の重量「104」「62.5」を、リサイクル重量テーブル１５１（図１３）の接合部重量領域１５１ｈに格納する
なお、以上では、各部品の接合面の面積に応じて、各部品の接合部の重量を求めているが、さらに、ネジ径やネジ部長さも考慮して、より精密な接合部の重量を求めるようにしてもよい。この場合、データ受付ステップ（Ｓ１０）で、各部品の設計データとして、部品の各面の面積の他に、ネジ径やネジ部長も受け付ける。また、接合面の面積を考慮せず、ネジ径やネジ部長さ等の設計データから、ネジ接合による接合部の重量を求めるようにしてもよい。
【００６５】
また、以上では、接合方法が「ネジ」の場合の算出式を例示したが、他の接合方法、例えば、接合方法が「接着」の場合でも、例えば、以下の算出式2で、各部品の接合部の重量を求めることができる。
【００６６】
W1_s = W1_p
W2_s = S1/S2×W2_p
この算出式2では、小さい方の部品の接触面の全体が大きい方の部品と一体化していると仮定し、小さい方の部品の接合部重量は、小さい方の部品の全重量とし、大きい方の部品の接合部重量は、大きい方の部品重量のうち、小さい方の部品との接合部分のみとしている。
【００６７】
接合部重量算出部１１３が当該部品及び当該接合部品の接合部の重量、当該部品及び当該接合部品の非接合部の重量を求めると（Ｓ２７）、素材重量算定部１１４は、当該部品及び当該接合部品の非接合部の重量から、当該部品及び当該接合部品の非接合部の回収重量及び未回収重量を求め、これらの値をリサイクル重量テーブル１５１（図１３）の非接合部の回収重量領域１５１ｆ、未回収重量領域１５１ｊに格納する（Ｓ２８）。非接合部の回収重量は、非接合部の重量に、選別機の選別率を掛けて求める。ステップ２２で、解体対象ではないと判断された部品は、全て、破砕・選別工程を経ることになる。このため、この部品の非接合部の回収重量を求める際には、装置仕様テーブル１４３（図４）に格納されている選別率（95％）を非接合部の重量に掛ける。例えば、部品「Ｂ」「Ｃ」の場合、これらの非接合部の重量は「396」「37.5」であるから、これらの重量「396」「37.5」に選別率0.95を掛けて、回収重量「376」「36」を求め、これらをリサイクル重量テーブル１５１（図１３）の非接合部の回収重量領域１５１ｆに格納する。また、非接合部の未回収重量を求める際には、選別率から得られる非選別率を非接合部の重量に掛ける。例えば、部品「Ｂ」「Ｃ」の場合、これらの重量「396」「37.5」に非選別率0.05（＝1−0.95）を掛けて、未回収重量「20」「1.9」を求め、これらをリサイクル重量テーブル１５１（図１３）の非接合部の未回収重量領域１５１ｊに格納する。なお、破砕されない部品「Ａ」に関しては、この部品「Ａ」の重量（＝非接合部重量）がそのまま非接合部の回収重量になり、未回収重量が０となる。
【００６８】
このように、ステップ２２で、対象部品を一つ抽出した場合でも、この対象部品の接合部の回収重量と共に、この対象部品に対する接合部品の非接合部の回収重量が求められる。そこで、本実施形態では、重複処理を避けるため、ステップ２３で、非接合部の回収重量を既に算出したか否かを判断し、算出済みの場合には以下の処理を行わずに、ステップ２２に戻るようにしている。
【００６９】
素材重量算定部１１４は、ステップ２５又はステップ２８の処理を実行すると、全ての部品名を抽出したか否かを判断し（Ｓ２９）、全ての部品名を抽出していなければ、ステップ２２に戻り、全ての部品名を抽出していれば、この接合部及び非接合部の重量算出処理（Ｓ２０）を終了する。
【００７０】
ここで、再び、図１７に示すフローチャートに従って説明する。
【００７１】
接合部及び非接合部の重量算出処理（Ｓ２０）が終了すると、リサイクルコスト算出部１１５が、部品毎のリサイクルコスト等を算出する（Ｓ３０）。
【００７２】
このリサイクルコスト算出処理（Ｓ３０）について、図１９に示すフローチャートに従って説明する。
【００７３】
リサイクルコスト算出部１１５は、まず、部品構成情報テーブル１４６（図７）から部品名を一つ抽出し、これをリサイクルコストテーブル１５２（図１４）中の部品名領域１５２ａに格納する（Ｓ３１）。
【００７４】
次に、リサイクルコスト算出部１１５は、解体レベルテーブル１４４（図５）を参照して、ステップ３１で抽出した部品名の部品が解体対象であるか否かを判断する（Ｓ３４）。当該部品が解体対象であると判断すると、解体時間テーブル１４５（図６）及び処理単価テーブル１４２（図３）を参照して、当該部品の解体コストを求め、これをリサイクルコストテーブル１５２（図１４）中の解体コスト領域１５２ｈに格納する（Ｓ３３）。例えば、部品「Ａ」の場合、解体レベルテーブル１４４（図５）に示すように、解体対象であるから、解体時間テーブル１４５（図６）中の部品「Ａ」の解体時間「5（秒）」に、処理単価テーブル１４２（図３）中の解体単価「60（\/分）」を掛けて、解体コスト「5.0（\）」を求め、これをリサイクルコストテーブル１５２（図１４）中の解体コスト領域１５２ｈに格納する。
【００７５】
次に、リサイクルコスト算出部１１５は、解体レベルテーブル１４４（図５）を参照して、ステップ３１で抽出した部品名の部品が破砕・選別対象であるか否かを判断する（Ｓ３２）。当該部品が破砕・選別対象でないと判断すると、直ちに、ステップ３６に進む。また、当該部品が破砕・選別対象であると判断すると、部品構成情報テーブル１４６（図７）から当該部品の重量を取得し、処理単価テーブル１４２（図３）を参照して、当該部品の破砕・選別コストを求める。そして、これをリサイクルコストテーブル１５２（図１４）中の破砕・選別コスト領域１５２ｏに格納して（Ｓ３３）、ステップ３６に進む。
【００７６】
ステップ３６では、リサイクルコスト算出部１１５が、リサイクル重量テーブル１５１（図１３）から当該部品の非接合部の回収重量を取得し、素材単価テーブル１４１（図２）を参照して、当該部品の回収非接合部の売却価格を求め、これをリサイクルコストテーブル１５２の回収素材の売却価格領域１５２ｐに格納し、ステップ４５に進む。例えば、部品「Ａ」の場合、非接合部の回収重量「1000（ｇ）」に、ＡＢＳ屑の売却単価「20（\/kg）」を掛けて、売買価格「20（\）」を求める。
【００７７】
また、リサイクルコスト算出部１１５は、ステップ３２で、当該部品が解体対象でないと判断すると、部品構成情報テーブル１４６（図７）から当該部品の重量を取得すると共に、処理単価テーブル１４２（図３）から破砕・選別の処理単価を取得し、これらの値から当該部品の破砕・選別コストを求める。そして、これをリサイクルコストテーブル１５２（図１４）中の破砕・選別コスト領域１５２ｏに格納する（Ｓ４１）。例えば、部品「Ｂ」の場合、重量「500（ｇ）」に破砕・選別の処理単価「30（\/kg）」を掛けて、この部品「B」の破砕・選別コスト「15（\）」を求める。
【００７８】
次に、リサイクルコスト算出部１１５は、前述のステップ３６と同様に、リサイクル重量テーブル１５１（図１３）から当該部品の非接合部の回収重量を取得し、素材単価テーブル１４１（図２）を参照して、当該部品の回収非接合部の売却価格を求め、これをリサイクルコストテーブル１５２の回収素材の売却価格領域１５２ｐに格納する（Ｓ４２）。
【００７９】
次に、リサイクルコスト算出部１１５は、接合破砕屑種テーブル１６２（図１１）を参照して、接合部の破砕屑種を決定する（Ｓ４３）。例えば、部品「Ｂ」の場合、構成素材が「Ｆｅ」であり、この部品「Ｂ」に対する接合部品「Ｃ」の素材が「ＡＢＳ」であるから、接合破砕屑種テーブル１６２から、接合部の破砕屑種を「（鉄＋α）屑」とする。
【００８０】
続いて、リサイクルコスト算出部１１５は、回収物種決定用テーブル１３１（図１２）中に、当該部品の接合部の破砕屑種及び当該部品の構成素材が格納されているレコードが存在するか否かを判断し、該当レコードが存在しなければ、新たなレコード中の接合破砕屑領域１３１ａに当該部品の接合部の破砕屑種を格納し、接合部破砕屑の構成素材領域１３１ｂに当該部品の構成素材を格納し、重量領域１３１ｃに当該接合部の重量を格納する。また、当該レコードが存在すれば、該当レコード中の重量領域１３１ｃに格納されている重量に、当該部品の接合部の重量を加算して（Ｓ４４）、ステップ４５に進む。
【００８１】
ステップ４５では、リサイクルコスト算出部１１５が部品構成情報テーブル１４６（図７）から全ての部品名を抽出したか否かを判断する。全ての部品名を抽出していなければ、ステップ３１に戻り、全ての部品名を抽出していれば、ステップ４６に進む。
【００８２】
図１５に示す製品を構成する複数の部品のうち、図５に示すように、部品「Ａ」「ネジ１」が解体対象であり、部品「Ｂ」「Ｃ」「Ｄ」「Ｅ」「ネジ２」は解体対象ではない。このため、リサイクルコスト算出部１１５は、部品「Ａ」「ネジ１」に関して、ステップ３３〜ステップ３６の処理を実行し、部品「Ｂ」「Ｃ」「Ｄ」「Ｅ」「ネジ２」に関して、ステップ４１〜ステップ４４の処理を実行する。
【００８３】
この部品「Ｂ」「Ｃ」「Ｄ」「Ｅ」「ネジ２」に関して、ステップ４１〜ステップ４４の処理を実行する過程で、ステップ４３で、部品「Ｂ」「Ｃ」「Ｄ」「Ｅ」「ネジ２」の接合部の破砕屑種は、いずれも「（鉄＋α）屑」と定められる。これらの部品「Ｂ」「Ｃ」「Ｄ」「Ｅ」「ネジ２」の構成素材は、それぞれ、「Ｆｅ」「ＡＢＳ」「Ｆｅ」「Ａｌ」「Ｆｅ」であるから、ステップ４３では、回収物種決定用テーブル１３１（図１２）に、部品「Ｂ」「Ｄ」「ネジ２」のデータが格納される「（鉄＋α）屑」−「Ｆｅ」のレコード１３１ｆと、部品「Ｃ」のデータが格納される「（鉄＋α）屑」−「ＡＢＳ」のレコード１３１ｇと、部品「Ｅ」のデータが格納される「（鉄＋α）屑」−「Ａｌ」のレコード１３１ｈが設けられる。そして、部品「Ｂ」「Ｄ」「ネジ２」のデータが格納される「（鉄＋α）屑」−「Ｆｅ」のレコード１３１ｆ中の重量領域１３１ｃには、部品「Ｂ」の接合部重量「104」と、部品「Ｄ」の接合部重量「200」と、部品「ネジ２」の接合部重量「5」の合計値「309」が格納される。また、部品「Ｃ」のデータが格納される「（鉄＋α）屑」−「ＡＢＳ」のレコード１３１ｇには、部品「Ｃ」の接合部の重量「62.5」が格納され、部品「Ｅ」のデータが格納される「（鉄＋α）屑」−「Ａｌ」のレコード１３１ｈには、部品「Ｅ」の接合部の重量「100」が格納される。
【００８４】
リサイクルコスト算出部１１５は、ステップ４５で、全ての部品名を抽出したと判断すると、回収物種決定用テーブル１３１（図１２）の各レコードの素材毎に売却価格を求めて、各売却価格のうちで最も売却価格の高い素材を主成分とし、その他の素材を不純物として、リサイクル重量テーブル１５１の各部品の主成分/不純物領域１５１ｉに、「主成分」又は「不純物」を格納する（Ｓ４６）。具体的に、「（鉄＋α）屑」−「Ｆｅ」のレコード１３１ｆにおいて、重量「309（ｇ）」に素材「Ｆｅ」の「鉄屑」としての売却単価「50\/kg」を掛けて、「鉄屑」の売却価格「15」を求める。「（鉄＋α）屑」−「ＡＢＳ」のレコード１３１ｇにおいて、重量「62.5（ｇ）」に素材「ＡＢＳ」の「ミックスプラ」としての売却単価「2\/kg」を掛けて、「ミックスプラ」の売却価格「0.1（\）」を求める。「（鉄＋α）屑」−「Ａｌ」のレコード１３１ｈにおいて、重量「100（ｇ）」に素材「Ａｌ」の「ミックスメタル」としての売却単価「120\/kg」を掛けて、「ミックメタル」の売却価格「12（\）」を求める。次に、リサイクルコスト算出部１１５は、回収物種決定用テーブル１３１（図１２）中の価格領域１３１ｄに各売却価格を格納する。そして、リサイクルコスト算出部１１５は、こられの売却価格のうちで最も売買価格の高い素材「Ｆｅ」を主成分とし、そのたの素材「ＡＢＳ」「Ａｌ」を不純物とする。なお、「（鉄＋α）屑」−「Ａｌ」のレコード１３１ｈにおいて、仮に、重量「200（ｇ）」の場合には、素材「Ａｌ」の「ミックメタル」としての売却価格が「24（\）」になるため、素材「Ａｌ」が主成分となり、その他の「Ｆｅ」「ＡＢＳ」が不純物となる。
【００８５】
次に、リサイクルコスト算出部１１５は、素材単価テーブル１４１（図２）を参照して、主成分の他に一種以上の不純物を含む回収物の回収物種を定め、この回収物種を回収物種決定用テーブル１３１（図１２）の接合部回収物領域１３１ｅに格納すると共に、リサイクル重量テーブル１５１（図１３）中の接合部回収物領域１５１ｇに格納する（Ｓ４７）。具体的には、「Ｆｅ」を主成分とし、一種以上の不純物を含む回収物の回収物種を「不純物含有鉄屑」と定め、この回収物種「不純物含有鉄屑」を、回収物種決定用テーブル１３１（図１２）の接合部回収物領域１３１ｅ及びリサイクル重量テーブル１５１（図１３）中の接合部回収物領域１５１ｇに格納する。なお、仮に、素材「Ａｌ」が主成分となった場合には、回収物種は「不純物含有ミックスメタル」となる。
【００８６】
次に、リサイクルコスト算出部１１５は、素材を主成分とした部品接合部屑の売買価格を求めて、これをリサイクルコストテーブル１５２（図１４）の不純物含有素材の売買価格領域１５２ｑに格納すると共に、素材を不純物とした部品接合部屑の売買価格を求めて、これをリサイクルコストテーブル１５２（図１４）の不純物化素材の売買価格領域１５２ｒに格納する（Ｓ４８）。
【００８７】
最後に、リサイクルコスト算出部１１５は、各部品毎に、リサイクルコスト及びロス価格を求めて、これらをリサイクルコストテーブル１５２（図１４）のリサイクルコスト領域１５２ｍ、ロス価格領域１５２ｓに格納する（Ｓ４９）。リサイクルコストは、当該部品の解体コストと破砕・選別コストとの合計値から当該部品の各売却価格の合計値を引くことで求められる。また、ロス価格は、非接合部の売却単価と接合部（不純物含有素材）の売却単価との差に、接合部重量を掛けることで求められる。すなわち、ロス価格とは、接合部を接合部素材で売却せず、接合部を不純物含有素材として売却することで生じるロス分の価格である。例えば、部品「Ｂ」の場合、当該部品の解体コスト「.0（\）」と破砕・選別コスト（15（\））との合計値（15\）から当該部品の各売却価格（18.8\、0.52\）の合計値（19.3\）を引いた値（−4.3\）がリサイクルコストになる。また、部品「Ｂ」の場合、非接合部（鉄屑）の売却単価（50\/kg）と接合部（不純物含有鉄屑）の売却単価（5\/kg）との差に、接合部重量（104（ｇ））を掛けた値（4.7\）がロス価格になる。
【００８８】
以上で、リサイクルコストの算出処理（Ｓ３０）は終了する。
【００８９】
ここで、再び、図１７に示すフローチャートに従って説明する。
【００９０】
リサイクルコストの算出処理（Ｓ３０）が終了すると、素材重量算定部１１４が、部品毎のリサイクル可能重量及びリサイクル率を算出する（Ｓ５０）。
【００９１】
素材重量算定部１１４は、部品毎に、リサイクル重量テーブル１５１（図１３）中の非接合部回収重量領域１５１ｆに格納されている非接合部回収重量に、接合部重量領域１５１ｈに格納されている接合部重量（但し、主成分/不純物領域１５１ｉに「主成分」が格納されている場合に限る）を加算して、リサイクル可能重量を算出し、これをリサイクル可能重量領域１５１ｋに格納する。例えば、部品「Ｂ」の場合、主成分/不純物領域１５１ｉに「主成分」が格納されているので、非接合部回収重量「376（ｇ）」に接合部重量「104（ｇ）」を加算して、リサイクル可能重量「480（ｇ）」を求める。また、部品「Ｃ」の場合、主成分/不純物領域１５１ｉに「不純物」が格納されているので、非接合部回収重量「36（ｇ）」に接合部重量を加算せず、非接合部回収重量「36（ｇ）」をそのままリサイクル可能重量「480（ｇ）」とする。すなわち、接合部の素材が不純物扱いになる場合、この接合部の重量をリサイクル重量に含めない。なお、リサイクルコスト算出処理（Ｓ３０）では、接合部の素材が不純物扱いになる場合でも、不純物化素材売却価格としてリサイクルコストに反映させているが、これは、当該部品の接合部が不純物であっても、当該部品に接合している部品の接合部との混合素材として、売却できるものの、売却先では、混合素材中の不純物扱いの素材を基本的にリサイクルしないからである。
【００９２】
次に、表示制御部１１６が、以上の処理での算出結果に基づき、図２０に示す数値情報画面１９５と図２１に示す模式ロス情報画面１９６とを、表示装置１９１に表示させる（Ｓ６０）。
【００９３】
図２０に示す数値情報画面１９５には、基本的に、リサイクル重量テーブル１５１（図１３）に格納されているデータ及びリサイクルコストテーブル１５２（図１４）に格納されていうデータと同じものが表示される。
【００９４】
すなわち、数値情報画面１９５には、リサイクル重量テーブル１５１（図１３）中の部品名領域１５１ａ、構成素材領域１５１ｂ、素材重量領域１５１ｃ、部品個数領域１５１ｄ、非接合部回収物領域１５１ｅ、非接合部回収重量領域１５１ｆ、接合部回収物領域１５１ｇ、未回収重量領域１５１ｊ、リサイクル可能重量領域１５１ｋ、リサイクル率領域１５１ｌと、当該接合部の重量が格納される接合部重量領域１５１ｈに対応する、部品名領域１９５ａ、構成素材領域１９５ｂ、素材重量領域１９５ｃ、部品個数領域１９５ｄ、非接合部回収物領域１９５ｅ、非接合部回収重量領域１９５ｆ、接合部回収物領域１９５ｇ、未回収重量領域１９５ｊ、リサイクル可能重量領域１９５ｋ、リサイクル率領域１９５ｌが設けられている。
【００９５】
さらに、この数値情報画面１９５には、リサイクルコストテーブル１５２（図１４）の部品名領域１５２ａ、リサイクルコスト領域１５２ｍ、解体コスト領域１５２ｎ、粉砕・選別コスト領域１５２o、回収素材売却価格領域１５２ｐ、不純物含有素材売却価格領域１５２ｑ、不純物化素材売却価格領域１５２ｒ、ロス価格領域１５２ｓに対応する、リサイクルコスト領域１６９ｍ、解体コスト領域１９５ｎ、粉砕・選別コスト領域１９５o、回収素材売却価格領域１９５ｐ、不純物含有素材売却価格領域１９５ｑ、不純物化素材売却価格領域１９５ｒ、ロス価格領域１９５ｓが設けられている。
【００９６】
但し、この数値情報画面１９５には、リサイクル重量テーブル１５１（図１３）中の接合部重量領域１５１ｈ、主成分/不純物領域１５１ｉに対する領域は、設けられておらず、替わりに、接合部の不純物含有素材重量が表示される不純物含有素材重量領域１９５ｔと、接合部の不純物化素材重量が表示される不純物化素材重量領域１９５ｕと、各数値データの合計又は平均値が表示される合計（平均）領域１９５ｖとが設けられている。さらに、この数値情報画面１９５には、リサイクルコストテーブル１５２（図１４）に対応領域がない、数値データの合計値が表示される合計領域１９５ｗが設けられている。
【００９７】
このため、表示制御部１１６が、表示装置１９１に数値情報画面１９５を表示させる前に、素材重量算定部１１４が、数値情報画面１９５中に表示される不純物含有素材重量領域１９５ｔ、不純物化素材重量領域１９５ｕ、合計（平均）領域１９５ｖのデータを算出する。素材重量算出部１１４は、この際、リサイクル重量テーブル１５１（図１３）中の接合部重量領域１５１ｈに格納されている接合部重量のうち、主成分/不純物領域１５１ｉに「主成分」が格納されている接合部重量を、数値情報画面１９５中の不純物含有素材重量領域１９５ｔに表示する不純物含有素材重量とし、リサイクル重量テーブル１５１（図１３）中の接合部重量領域１５１ｈに格納されている接合部重量のうち、主成分/不純物領域１５１ｉに「不純物」が格納されている接合部重量を、数値情報画面１９５中の不純物化素材重量領域１９５ｕに表示する不純物化素材重量とする。さらに、素材重量算出部１１４は、リサイクル重量テーブル１５１（図１３）の各領域１５１ｃ，１５１ｄ，１５１ｆ，１５１ｊ等の数値の合計値を求める共に、リサイクル率の平均値を求める。
【００９８】
以上のように、本実施形態では、各部品毎に、非接合部重量及び接合部重量を求め、これらの重量から複数の部品の各種素材（混合素材を含む）毎の重量を求めているので、リサイクル処理過程で得られる各種素材の重量や、リサイクル可能重量、未回収重量等をより正確に求めることができる。
【００９９】
また、リサイクルコスト算出部１１５は、リサイクルコストテーブル１５２（図１４）の各領域１５２ｍ〜１５２ｓの通知の合計値を求める。
【０１００】
図２１に示す模式ロス情報画面１９６には、３Ｄ製品図１９７と共に、ロス価格が発生した部品Ｃ，Ｄの部品名やロス価格等を含む文字情報１９８ｃ，１９８ｄ、ロス価格の量を視覚的に示すロス価格円１９９ｃ，１９９ｄが表示される。このロス価格円１９９ｃ，１９９ｄの半径は、ロス価格に比例して大きくなっている。
【０１０１】
本実施形態では、このように、部品にロス価格が発生する場合、ロス価格を模式的に示すため、製品設計者はロス価格を発生する部品を把握し易く、製品設計者に対して、ロス価格の発生を抑えた製品設計を促すことができる。
【符号の説明】
【０１０２】
１００：リサイクル性評価装置、１１０：ＣＰＵ、１１１：データ受付部、１１２：解体判断部、１１３：接合部重量算定部、１１４：素材重量算定部、１１５：リサイクルコスト算定部、１１６：表示制御部、１２０：ＲＯＭ、１３０：ＲＡＭ、１３１：回収物決定用テーブル、１４０：記憶装置、１４１：素材単価テーブル、１４２：処理単価テーブル、１４３：装置仕様テーブル、１４４：解体レベルテーブル、１４５：解体時間テーブル、１４６：部品構成情報テーブル、１４７：部品面テーブル、１４８：接合情報テーブル、１５１：リサイクル重量テーブル、１５２：リサイクルコストテーブル、１６０：リサイクル性評価プログラム、１６１：算出式テーブル、１６２：接合破砕屑種テーブル、１７０：ディスク記録・再生装置、１８０：通信装置、１９１：表示装置、１９２：入力装置
【図１】
2010237955.tif 000003
【図２】
2010237955.tif 000004
【図３】
2010237955.tif 000005
【図４】
2010237955.tif 000006
【図５】
2010237955.tif 000007
【図６】
2010237955.tif 000008
【図７】
2010237955.tif 000009
【図８】
2010237955.tif 000010
【図９】
2010237955.tif 000011
【図１０】
2010237955.tif 000012
【図１１】
2010237955.tif 000013
【図１２】
2010237955.tif 000014
【図１３】
2010237955.tif 000015
【図１４】
2010237955.tif 000016
【図１５】
2010237955.tif 000017
【図１６】
2010237955.tif 000018
【図１７】
2010237955.tif 000019
【図１８】
2010237955.tif 000020
【図１９】
2010237955.tif 000021
【図２０】
2010237955.tif 000022
【図２１】
2010237955.tif 000023